(57)【特許請求の範囲】
【請求項１】
選局されたデータ放送の番組の放送信号を受信する受信部と、
前記受信部により受信された放送信号からデータ放送コンテンツを取得する情報取得部と、
前記情報取得部により取得されたデータ放送コンテンツを記憶する記憶部と、
前記記憶部に記憶されるデータ放送コンテンツに基づくデータ放送画面を表示部に提示させる情報提示部とを備え、
前記情報提示部は、前記受信部による受信状態が不良状態である場合に前記表示部に前記データ放送画面の提示状態を保持させ、前記受信部による受信状態が不良状態から良好状態に変化しかつ前記不良状態の前後の良好状態で受信されたデータ放送の番組が同じである場合に、前記記憶部に記憶されるデータ放送コンテンツに基づくデータ放送画面の提示を前記表示部に再開させる、放送受信装置。
【請求項２】
前記情報提示部は、前記受信部による受信状態が不良状態から良好状態に変化しかつ前記不良状態の前後の前記良好状態で受信されたデータ放送の番組が異なる場合に、前記表示部に保持させていたデータ放送画面の提示を終了させる、請求項１記載の放送受信装置。
【請求項３】
前記記憶部は、前記受信部による受信状態が不良状態から良好状態に変化しかつ前記不良状態の前後の良好状態で受信されたデータ放送の番組が異なる場合に、前記不良状態の後の良好状態で前記情報取得部により取得されたデータ放送コンテンツを記憶する、請求項２記載の放送受信装置。
【請求項４】
前記受信部による受信状態が不良状態から良好状態に変化しかつ前記不良状態の前後の良好状態で受信されたデータ放送の番組が同じである場合に、前記記憶部に記憶されるデータ放送コンテンツに基づくデータ放送画面の提示を前記表示部に再開させるかまたは前記表示部に保持させていたデータ放送画面の提示を終了させるかを選択する選択部をさらに備え、
前記情報提示部は、前記選択部の選択に基づいて前記記憶部に記憶されるデータ放送コンテンツに基づくデータ放送画面の提示を前記表示部に再開させるかまたは前記表示部に保持させていた前記データ放送画面の提示を終了させる、請求項１記載の放送受信装置。
【請求項５】
前記情報取得部は、前記受信部により受信された放送信号から番組を識別するための番組識別情報をさらに取得し、
前記受信部による受信状態が不良状態である前後に前記情報取得部により取得された番組識別情報に基づいて不良状態の前後の良好状態で前記受信部により受信されたデータ放送の番組が同じであるか否かを判定する番組判定部をさらに備えた、請求項１記載の放送受信装置。
【請求項６】
前記受信部により受信される放送信号の誤りに基づいて受信状態が良好状態であるか不良状態であるかを判定する状態判定部をさらに備えた、請求項１記載の放送受信装置。
【請求項７】
前記表示部に提示されるデータ放送画面を操作する操作部と、
前記操作部による操作内容を示すデータを放送局に伝送する通信部とをさらに備えた、請求項１記載の放送受信装置。
【請求項８】
前記受信部による受信状態が不良状態である場合に、前記表示部に保持されたデータ放送画面の操作を制限する操作制限部をさらに備え、請求項７記載の放送受信装置。
【請求項９】
前記操作制限部は、前記記憶部に記憶されたデータ放送コンテンツに基づいてデータ放送画面の操作が可能な場合に前記表示部に保持されたデータ放送画面の操作を許容し、前記記憶部に記憶されたデータ放送コンテンツに基づいてデータ放送画面の操作が不可能な場合に前記表示部に保持されたデータ放送画面の操作を禁止する、請求項８記載の放送受信装置。
【請求項１０】
前記操作制限部によりデータ放送画面の操作が禁止されていることを使用者に知らせる通知部をさらに備えた、請求項９記載の放送受信装置。
【請求項１１】
選局されたデータ放送の番組の放送信号を受信するステップと、
前記受信された放送信号からデータ放送コンテンツを取得するステップと、
前記取得されるデータ放送コンテンツを記憶するステップと、
前記記憶されるデータ放送コンテンツに基づくデータ放送画面を表示部に提示させるステップとを備え、
提示させる前記ステップは、受信状態が不良状態である場合にデータ放送画面の提示状態を前記表示部に保持させ、受信状態が不良状態から良好状態に変化しかつ前記不良状態の前後の良好状態で受信されたデータ放送の番組が同じである場合に、前記記憶されるデータ放送コンテンツに基づくデータ放送画面の提示を前記表示部に再開させることを含む、放送受信方法。
【請求項１２】
提示させる前記ステップは、受信状態が不良状態から良好状態に変化しかつ不良状態の前後の良好状態で受信されたデータ放送の番組が異なる場合に、前記表示部に保持させていたデータ放送画面の提示を終了させることを含む、請求項１１記載の放送受信方法。
【請求項１３】
受信状態が不良状態から良好状態に変化しかつ前記不良状態の前後の良好状態で受信されたデータ放送の番組が同じである場合に、前記記憶されるデータ放送コンテンツに基づくデータ放送画面の提示を前記表示部に再開させるかまたは前記表示部に保持させていたデータ放送画面の提示を終了させるかを選択するステップをさらに備え、
提示させる前記ステップは、選択する前記ステップにおける選択に基づいて前記記憶されるデータ放送コンテンツに基づくデータ放送画面の提示を前記表示部に再開させるかまたは前記表示部に保持させていたデータ放送画面の提示を終了させることを含む、請求項１１記載の放送受信方法。
【請求項１４】
前記表示部に提示されるデータ放送画面を操作するステップと、
前記操作による操作内容を示すデータを放送局に伝送するステップとをさらに備えた、請求項１１記載の放送受信方法。
【請求項１５】
受信状態が不良状態である場合に、前記表示部に保持されたデータ放送画面の操作を制限するステップをさらに備えた、請求項７記載の放送受信方法。
【請求項１６】
受信されたデータ放送の放送信号に基づいてデータ放送画面を表示部に提示させるためにコンピュータにより実行可能なデータ放送画面提示プログラムであって、
前記受信された放送信号からデータ放送コンテンツを取得する処理と、
前記取得されるデータ放送コンテンツを記憶する処理と、
前記記憶されるデータ放送コンテンツに基づくデータ放送画面を前記表示部に提示させる処理とを前記コンピュータに実行させ、
提示させる前記処理は、受信状態が不良状態である場合に前記表示部にデータ放送画面の提示状態を保持させ、受信状態が不良状態から良好状態に変化しかつ前記不良状態の前後の良好状態で受信されたデータ放送の番組が同じである場合に、前記記憶されるデータ放送コンテンツに基づくデータ放送画面の提示を前記表示部に再開させることを含む、データ放送画面提示プログラム。
【請求項１７】
提示させる前記処理は、受信状態が不良状態から良好状態に変化しかつ不良状態の前後の良好状態で受信されたデータ放送の番組が異なる場合に、前記表示部に保持させていたデータ放送画面の提示を終了させることを含む、請求項１６記載のデータ放送画面提示プログラム。
【請求項１８】
受信状態が不良状態から良好状態に変化しかつ前記不良状態の前後の良好状態で受信されたデータ放送の番組が同じである場合に、前記記憶されるデータ放送コンテンツに基づくデータ放送画面の提示を前記表示部に再開させるかまたは前記表示部に保持させていたデータ放送画面の提示を終了させるかを選択する処理をさらに前記コンピュータに実行させ、
提示させる前記処理は、選択する前記処理における選択に基づいて前記記憶されるデータ放送コンテンツに基づくデータ放送画面の提示を前記表示部に再開させるかまたは前記表示部に保持させていたデータ放送画面の提示を終了させることを含む、請求項１６記載のデータ放送画面提示プログラム。
【請求項１９】
前記表示部に提示されるデータ放送画面を操作する処理と、
前記操作による操作内容を示すデータを放送局に伝送する処理とをさらに前記コンピュータに実行させる、請求項１６記載のデータ放送画面提示プログラム。
【請求項２０】
受信状態が不良状態である場合に、前記表示部に保持されたデータ放送画面の操作を制限する処理をさらに前記コンピュータに実行させる、請求項１９記載のデータ放送画面提示プログラム。
【発明の詳細な説明】
【技術分野】
【０００１】
本発明は、データ放送を受信する放送受信装置、放送受信方法およびデータ放送画面提示プログラムに関する。
【背景技術】
【０００２】
デジタル放送サービスにおいては、テレビ放送または音声放送とともにデータ放送が行われている。データ放送として、テレビ放送または音声放送を補完する付加データ放送と、テレビ放送および音声放送とは独立した独立データ放送とが提供されている。
【０００３】
付加データ放送および独立データ放送には、データカルーセル伝送方式が用いられる。図８はデータカルーセル伝送方式を説明するための図である。図８（ａ）に示すように、データカルーセル伝送方式では、各番組のデータ放送コンテンツを構成する複数のモジュールＡ〜Ｐが一定周期で繰り返し伝送される。１つのデータ放送コンテンツを構成する複数のモジュールＡ〜Ｐの集合はカルーセルと呼ばれる。各モジュールは複数のデータブロックに分割されて伝送される。
【０００４】
図８（ｂ），（ｃ）に示すように、１つのカルーセルは、ＤＩＩ（Download Info Indication）および複数のＤＤＢ（Download Data Block）により構成される。ＤＩＩは、カルーセル中の複数のモジュールの管理情報を伝送するために用いられ、当該カルーセル中の各モジュールに関する各種制御情報を含む。ＤＤＢは、実際のモジュール本体を伝送するために用いられ、各モジュールを分割することにより得られるデータブロックを含む。
【０００５】
データ放送を受信可能な放送受信装置では、使用者がデータ放送の番組を選局すると、カルーセルのＤＩＩが取得された後、最初に提示すべきモジュールが取得され、バッファ（記憶装置）に格納される。続いて、必要なモジュールが順次取得され、バッファに順次格納される。そして、バッファに格納されたモジュールに基づくデータ放送画面が順次提示される。
【０００６】
放送受信装置は、カルーセルの周期でデータ放送コンテンツのモジュールを取得するので、少なくともカルーセルの１周期が経過しないとデータ放送コンテンツの全体を取得することができない。カルーセルの周期は、データ放送コンテンツにより異なるが最大で数分に達する。
【０００７】
使用者が他の番組を選局すると、バッファの再起動処理が行われ、新たな番組のデータ放送コンテンツの取得が開始され、必要なモジュールが順次バッファに格納される。そして、バッファに格納されたモジュールに基づくデータ放送画面が順次提示される。この場合、必要なモジュールに基づくデータ放送画面が提示されるまでに最大でカルーセルの周期に相当する待ち時間が発生する。
【０００８】
番組連動の視聴者参加型データ放送番組では、視聴者は、提示されたデータ放送画面を操作することができる。たとえば、視聴者は、データ放送画面に表示されたアンケートに情報を入力することができる。視聴者により入力された情報は、インターネット等の通信回線を通して放送局に伝送される。このようにして、双方向サービスが実現される。
【０００９】
放送電波を用いた放送においては、降雨、障害物、または放送受信装置の移動等を原因とする障害によって放送電波が減衰を受けることがある。
【００１０】
一般的に、放送受信装置において放送電波の減衰による受信不良が発生した場合には、選局を行うための番組識別情報の取得が困難になる。そのため、受信状態から不良状態から良好状態に変化したときに、番組識別情報が再度取得され、再度選局動作が行われる。
【００１１】
第１の従来技術として、特許文献１には、デジタル放送信号の受信レベルの変化を使用者に知らせることができるデジタル放送受信装置が提案されている。そのデジタル放送受信装置では、受信チャンネルのトランスポートストリームパケットにおけるエラーを検出し、検出したエラー数を取得する。そして、所定の期間で取得したエラー数が多くなったときに受信状態が悪化したと判断し、そのときの受信状態（受信レベル）をエラー数に対応した表示形式でモニタの画面に表示する。それにより、使用者は受信状態の程度を知ることができる。また、受信不能のためにモニタの画面が黒くなった場合でも、使用者は事前に受信状態を知ることにより受信状態の悪化により画面が黒くなったものと判断することができる。
【００１２】
さらに、降雨等による受信状態の悪化時にも放送の受信を可能にするために、複数の変調方式を用いて通常の放送の他に降雨対応放送を並行して送信する階層化伝送方式が採用される。
【００１３】
第２の従来技術として、特許文献２には、受信状態が悪化した場合に未受信のモジュールをインターネットアクセスによって取得することにより全てのモジュールの組み立てを可能にするデータ放送受信システムが提案されている。
【００１４】
このデータ放送受信システムでは、受信状態が悪化したと判断した場合に、受信方式をインターネットアクセスによる受信方式に切り替える。この際、予め登録されているモジュール一覧を取得することにより未受信のモジュールを検出し、未受信モジュールのみをインターネットアクセスにより取得する。このようにして、受信状態が悪いために受信できなかったモジュールを表示することが可能になる。
【００１５】
さらに、第３の従来技術として、特許文献３には、表示制御装置における動作状態が障害状態にある場合に、表示制御装置を再起動により復帰させる障害復帰方法が提案されている。その障害復帰方法では、表示制御装置が、コンテンツ画面を切り替える際に、次に表示するコンテンツの情報を画面切替情報として送信する。監視装置は、画面切替情報を受信して記憶しておき、予め設定された特定時間にわたって画面切替情報を受信しない場合に表示制御装置を再起動し、正常に復帰した後、記憶する最新の画面切替情報を障害履歴情報として表示制御装置に送信する。表示制御装置は、当該障害履歴情報にて示されたコンテンツから表示を再開する。
【特許文献１】特開２０００−１１５６５４号公報
【特許文献２】特開２００１−３０８７４７号公報
【特許文献３】特開２００２−１０８６５７号公報
【発明の開示】
【発明が解決しようとする課題】
【００１６】
しかしながら、データ放送の番組の受信中に、降雨、障害物、または放送受信装置の移動等を原因とする障害によって受信不良が発生することにより、データ放送コンテンツの一部または全部が受信できなくなる事態が発生する場合がある。この場合、データ放送画面の提示が中断されるため、使用者にストレスおよび不快感を与えることとなる。
【００１７】
第１の従来技術によれば、デジタル放送信号の受信レベルの変化を使用者に知らせることにより受信不良の発生を使用者が把握することが可能である。しかしながら、受信不良が発生中にデータ放送画面の提示が中断されるため、使用者にストレスおよび不快感を与えることとなる。また、番組連動の視聴者参加型データ放送番組では、視聴者が操作したデータ放送画面を同一の状態に戻すことは非常に困難であるため、視聴者の操作に不都合が生じる。
【００１８】
また、第２の従来技術によれば、受信状態が悪化した場合に未受信のモジュールがインターネットアクセスにより取得される。しかしながら、移動体のようにインターネットアクセス環境を備えていない場合も多い。そのような場合、データ放送画面の提示が中断するため、使用者にストレスおよび不快感を与えることとなる。
【００１９】
さらに、第３の従来技術によれば、表示制御装置における動作状態が障害状態にある場合には、表示制御装置が再起動される。しかしながら、受信不良による表示障害では、データ放送コンテンツの受信が不可能であるため、再起動では表示障害を回復することはできない。したがって、受信不良による表示障害の発生中には、データ放送画面の提示が中断され、使用者にストレスおよび不快感を与えることとなる。また、既に取得されたモジュールが再起動により初期化されることになるため、受信不良の回復後に全てのモジュールを再度取得する必要がある。その結果、データ放送画面の提示に時間を要することになる。
【００２０】
本発明の目的は、受信状態が一時的に不良状態になった場合でも、使用者が受けるストレスおよび不快感を軽減することが可能な放送受信装置、放送受信方法およびデータ放送画面提示プログラムを提供することである。
【課題を解決するための手段】
【００２１】
（１）  本発明の一局面に従う放送受信装置は、選局されたデータ放送の番組の放送信号を受信する受信部と、受信部により受信された放送信号からデータ放送コンテンツを取得する情報取得部と、情報取得部により取得されたデータ放送コンテンツを記憶する記憶部と、記憶部に記憶されるデータ放送コンテンツに基づくデータ放送画面を表示部に提示させる情報提示部とを備え、情報提示部は、受信部による受信状態が不良状態である場合に表示部にデータ放送画面の提示状態を保持させ、受信部による受信状態が不良状態から良好状態に変化しかつ不良状態の前後の良好状態で受信されたデータ放送の番組が同じである場合に、記憶部に記憶されるデータ放送コンテンツに基づくデータ放送画面の提示を表示部に再開させるものである。
【００２２】
その放送受信装置においては、選局されたデータ放送の番組の放送信号が受信部により受信され、受信された放送信号から情報取得部によりデータ放送コンテンツが取得される。取得されたデータ放送コンテンツが記憶部に記憶され、記憶されるデータ放送コンテンツに基づくデータ放送画面が表示部に提示される。受信部による受信状態が不良状態である場合には、表示部によるデータ放送画面の提示状態が保持される。受信部による受信状態が不良状態から良好状態に変化しかつ不良状態の前後の良好状態で受信されたデータ放送の番組が同じである場合には、記憶されるデータ放送コンテンツに基づく表示部によるデータ放送画面の提示が再開される。
【００２３】
これにより、使用者は、データ放送画面の視聴中に受信状態が不良状態になった場合でも、受信状態が良好状態であったときのデータ放送画面を視聴することができ、受信状態が良好状態に戻りかつ引き続き同じ番組が受信されている場合に、同じ番組のデータ放送画面の続きを視聴することができる。したがって、受信状態が一時的に不良状態になった場合でも、使用者が受けるストレスおよび不快感が軽減される。
【００２４】
（２）  情報提示部は、受信部による受信状態が不良状態から良好状態に変化しかつ不良状態の前後の良好状態で受信されたデータ放送の番組が異なる場合に、表示部に保持させていたデータ放送画面の提示を終了させてもよい。
【００２５】
受信の不良状態の前後で受信されている番組が異なる場合には、受信状態が不良状態である間に保持されていたデータ放送画面の提示が終了される。それにより、使用者が他の番組の視聴を望む場合には、受信状態が不良状態から良好状態に戻ったときに、不良状態の間に保持されていたデータ放送画面の提示が即座に終了される。したがって、望まない番組のデータ放送画面が提示されることにより使用者がストレスおよび不快感を受けることが防止される。
【００２６】
（３）  記憶部は、受信部による受信状態が不良状態から良好状態に変化しかつ不良状態の前後の良好状態で受信されたデータ放送の番組が異なる場合に、不良状態の後の良好状態で情報取得部により取得されたデータ放送コンテンツを記憶してもよい。
【００２７】
受信の不良状態の前後で受信されている番組が異なる場合には、不良状態の後に取得されたデータ放送コンテンツが記憶される。それにより、使用者が他の番組の視聴を望む場合には、受信状態が不良状態から良好状態に戻ったときに、他の番組のデータ放送コンテンツが即座に取得される。したがって、使用者は、受信状態が不良状態から良好状態に戻ったときに短時間で望む番組のデータ放送画面を視聴することができる。
【００２８】
（４）  放送受信装置は、受信部による受信状態が不良状態から良好状態に変化しかつ不良状態の前後の良好状態で受信されたデータ放送の番組が同じである場合に、記憶部に記憶されるデータ放送コンテンツに基づくデータ放送画面の提示を表示部に再開させるかまたは表示部に保持させていたデータ放送画面の提示を終了させるかを選択する選択部をさらに備え、情報提示部は、選択部の選択に基づいて記憶部に記憶されるデータ放送コンテンツに基づくデータ放送画面の提示を表示部に再開させるかまたは表示部に保持させていたデータ放送画面の提示を終了させてもよい。
【００２９】
受信の不良状態の前後で受信されている番組が同じ場合には、使用者は、受信状態が不良状態から良好状態に戻ったときにデータ放送画面の提示を再開するかまたは保持されているデータ放送画面を終了させるかを選択することができる。それにより、使用者の希望に従ったデータ放送画面の提示が実現される。
【００３０】
（５）  情報取得部は、受信部により受信された放送信号から番組を識別するための番組識別情報をさらに取得し、放送受信装置は、受信部による受信状態が不良状態である前後に情報取得部により取得された番組識別情報に基づいて不良状態の前後の良好状態で受信部により受信されたデータ放送の番組が同じであるか否かを判定する番組判定部をさらに備えてもよい。
【００３１】
この場合、番組識別情報に基づいて受信の不良状態の前後で受信されたデータ放送の番組が同じであるか否かを容易に判定することができる。
【００３２】
（６）  放送受信装置は、受信部により受信される放送信号の誤りに基づいて受信状態が良好状態であるか不良状態であるかを判定する状態判定部をさらに備えてもよい。
【００３３】
この場合、受信される放送信号の誤りに基づいて受信状態が良好状態であるか不良状態であるかを容易に判定することができる。
【００３４】
（７）  放送受信装置は、表示部により提示されるデータ放送画面を操作する操作部と、操作部による操作内容を示すデータを放送局に伝送する通信部とをさらに備えてもよい。
【００３５】
この場合、使用者はデータ放送画面を操作することにより種々の情報を放送局に伝送することができる。それにより、双方向のデータ放送サービスが実現される。
【００３６】
（８）  放送受信装置は、受信部による受信状態が不良状態である場合に、表示部に保持されたデータ放送画面の操作を制限する操作制限部をさらに備えてもよい。
【００３７】
受信状態が不良状態である場合には、提示されるデータ放送画面が更新されないので、使用者によるデータ放送画面の操作に不具合が生じることがある。したがって、受信状態が不良状態である場合に保持されたデータ放送画面の操作を制限することにより、データ放送画面の操作に不具合が生じることを防止することができる。
【００３８】
（９）  操作制限部は、記憶部に記憶されたデータ放送コンテンツに基づいてデータ放送画面の操作が可能な場合に表示部に保持されたデータ放送画面の操作を許容し、記憶部に記憶されたデータ放送コンテンツに基づいてデータ放送画面の操作が不可能な場合に表示部に保持されたデータ放送画面の操作を禁止してもよい。
【００３９】
受信状態が不良状態である場合でも、記憶部に記憶されたデータ放送コンテンツに基づいてデータ放送画面の操作が可能なことがある。そのような場合には、使用者によるデータ放送画面の操作に不具合が生じないので、保持されたデータ放送画面の操作が許容される。それにより、使用者は、受信状態が不良状態である場合でも保持されたデータ放送画面の連続した操作を行うことができる。
【００４０】
一方、受信状態が不良状態である場合に、記憶部に記憶されたデータ放送コンテンツに基づいてデータ放送画面の操作が不可能なことがある。そのような場合には、使用者によるデータ放送画面の操作に不具合が生じる可能性があるので、保持されたデータ放送画面の操作が禁止される。それにより、データ放送画面の操作に不具合が生じることを防止することができる。
【００４１】
（１０）  放送受信装置は、操作制限部によりデータ放送画面の操作が禁止されていることを使用者に知らせる通知部をさらに備えてもよい。
【００４２】
データ放送画面の操作が禁止されている場合には、その旨が使用者に知らされる。それにより、データ放送画面の操作が禁止されているにもかかわらず使用者がデータ放送画面を操作することが防止される。その結果、使用者がストレスを感じることが回避される。
【００４３】
（１１）  本発明の他の局面に従う放送受信方法は、選局されたデータ放送の番組の放送信号を受信するステップと、受信された放送信号からデータ放送コンテンツを取得するステップと、取得されるデータ放送コンテンツを記憶するステップと、記憶されるデータ放送コンテンツに基づくデータ放送画面を表示部に提示させるステップとを備え、提示させるステップは、受信状態が不良状態である場合にデータ放送画面の提示状態を表示部に保持させ、受信状態が不良状態から良好状態に変化しかつ不良状態の前後の良好状態で受信されたデータ放送の番組が同じである場合に、記憶されるデータ放送コンテンツに基づくデータ放送画面の提示を表示部に再開させることを含むものである。
【００４４】
その放送受信方法においては、選局されたデータ放送の番組の放送信号が受信され、受信された放送信号からデータ放送コンテンツが取得される。取得されたデータ放送コンテンツが記憶され、記憶されたデータ放送コンテンツに基づくデータ放送画面が表示部に提示される。受信状態が不良状態である場合には、表示部によるデータ放送画面の提示状態が保持される。受信状態が不良状態から良好状態に変化しかつ不良状態の前後の良好状態で受信されたデータ放送の番組が同じである場合には、記憶されるデータ放送コンテンツに基づく表示部によるデータ放送画面の提示が再開される。
【００４５】
これにより、使用者は、データ放送画面の視聴中に受信状態が不良状態になった場合でも、受信状態が良好状態であったときのデータ放送画面を視聴することができ、受信状態が良好状態に戻りかつ引き続き同じ番組が受信されている場合に、同じ番組のデータ放送画面の続きを視聴することができる。したがって、受信状態が一時的に不良状態になった場合でも、使用者が受けるストレスおよび不快感が軽減される。
【００４６】
（１２）  提示させるステップは、受信状態が不良状態から良好状態に変化しかつ不良状態の前後の良好状態で受信されたデータ放送の番組が異なる場合に、表示部に保持させていたデータ放送画面の提示を終了させることを含んでもよい。
【００４７】
受信の不良状態の前後で受信されている番組が異なる場合には、受信状態が不良状態である間に保持されていたデータ放送画面の提示が終了される。それにより、使用者が他の番組の視聴を望む場合には、受信状態が不良状態から良好状態に戻ったときに、不良状態の間に保持されていたデータ放送画面の提示が即座に終了される。したがって、望まない番組のデータ放送画面が提示されることにより使用者がストレスおよび不快感を受けることが防止される。
【００４８】
（１３）  放送受信方法は、受信状態が不良状態から良好状態に変化しかつ不良状態の前後の良好状態で受信されたデータ放送の番組が同じである場合に、記憶されるデータ放送コンテンツに基づくデータ放送画面の提示を表示部に再開させるかまたは表示部に保持させていたデータ放送画面の提示を終了させるかを選択するステップをさらに備え、提示させるステップは、選択するステップにおける選択に基づいて記憶されるデータ放送コンテンツに基づくデータ放送画面の提示を表示部に再開させるかまたは表示部に保持させていたデータ放送画面の提示を終了させることを含んでもよい。
【００４９】
受信の不良状態の前後で受信されている番組が同じ場合には、使用者は、受信状態が不良状態から良好状態に戻ったときにデータ放送画面の提示を再開するかまたは保持されているデータ放送画面を終了させるかを選択することができる。それにより、使用者の希望に従ったデータ放送画面の提示が実現される。
【００５０】
（１４）  放送受信方法は、表示部に提示されるデータ放送画面を操作するステップと、操作による操作内容を示すデータを放送局に伝送するステップとをさらに備えてもよい。
【００５１】
この場合、使用者はデータ放送画面を操作することにより種々の情報を放送局に伝送することができる。それにより、双方向のデータ放送サービスが実現される。
【００５２】
（１５）  放送受信方法は、受信状態が不良状態である場合に、表示部に保持されたデータ放送画面の操作を制限するステップをさらに備えてもよい。
【００５３】
受信状態が不良状態である場合には、提示されるデータ放送画面が更新されないので、使用者によるデータ放送画面の操作に不具合が生じることがある。したがって、受信状態が不良状態である場合に保持されたデータ放送画面の操作を制限することにより、データ放送画面の操作に不具合が生じることを防止することができる。
【００５４】
（１６）  本発明のさらに他の局面に従うデータ放送画面提示プログラムは、受信されたデータ放送の放送信号に基づいてデータ放送画面を表示部に提示させるためにコンピュータにより実行可能なデータ放送画面提示プログラムであって、受信された放送信号からデータ放送コンテンツを取得する処理と、取得されるデータ放送コンテンツを記憶する処理と、記憶されるデータ放送コンテンツに基づくデータ放送画面を表示部に提示させる処理とをコンピュータに実行させ、提示させる処理は、受信状態が不良状態である場合に表示部にデータ放送画面の提示状態を保持させ、受信状態が不良状態から良好状態に変化しかつ不良状態の前後の良好状態で受信されたデータ放送の番組が同じである場合に、記憶されるデータ放送コンテンツに基づくデータ放送画面の提示を表示部に再開させることを含むものである。
【００５５】
そのデータ放送画面提示プログラムによれば、受信された放送信号からデータ放送コンテンツが取得される。取得されたデータ放送コンテンツが記憶され、記憶されたデータ放送コンテンツに基づくデータ放送画面が表示部に提示される。受信状態が不良状態である場合には、表示部によるデータ放送画面の提示状態が保持される。受信状態が不良状態から良好状態に変化しかつ不良状態の前後の良好状態で受信されたデータ放送の番組が同じである場合には、記憶されるデータ放送コンテンツに基づく表示部によるデータ放送画面の提示が再開される。
【００５６】
これにより、使用者は、データ放送画面の視聴中に受信状態が不良状態になった場合でも、受信状態が良好状態であったときのデータ放送画面を視聴することができ、受信状態が良好状態に戻りかつ引き続き同じ番組が受信されている場合に、同じ番組のデータ放送画面の続きを視聴することができる。したがって、受信状態が一時的に不良状態になった場合でも、使用者が受けるストレスおよび不快感が軽減される。
【００５７】
（１７）  提示させる処理は、受信状態が不良状態から良好状態に変化しかつ不良状態の前後の良好状態で受信されたデータ放送の番組が異なる場合に、表示部に保持させていたデータ放送画面の提示を終了させることを含んでもよい。
【００５８】
受信の不良状態の前後で受信されている番組が異なる場合には、受信状態が不良状態である間に保持されていたデータ放送画面の提示が終了される。それにより、使用者が他の番組の視聴を望む場合には、受信状態が不良状態から良好状態に戻ったときに、不良状態の間に保持されていたデータ放送画面の提示が即座に終了される。したがって、望まない番組のデータ放送画面が提示されることにより使用者がストレスおよび不快感を受けることが防止される。
【００５９】
（１８）  データ放送画面提示プログラムは、受信状態が不良状態から良好状態に変化しかつ不良状態の前後の良好状態で受信されたデータ放送の番組が同じである場合に、記憶されるデータ放送コンテンツに基づくデータ放送画面の提示を表示部に再開させるかまたは表示部に保持させていたデータ放送画面の提示を終了させるかを選択する処理をさらにコンピュータに実行させ、提示させる処理は、選択する処理における選択に基づいて記憶されるデータ放送コンテンツに基づくデータ放送画面の提示を表示部に再開させるかまたは表示部に保持させていたデータ放送画面の提示を終了させることを含んでもよい。
【００６０】
受信の不良状態の前後で受信されている番組が同じ場合には、使用者は、受信状態が不良状態から良好状態に戻ったときにデータ放送画面の提示を再開するかまたは保持されているデータ放送画面を終了させるかを選択することができる。それにより、使用者の希望に従ったデータ放送画面の提示が実現される。
【００６１】
（１９）  データ放送画面提示プログラムは、表示部に提示されるデータ放送画面を操作する処理と、操作による操作内容を示すデータを放送局に伝送する処理とをさらにコンピュータに実行させてもよい。
【００６２】
この場合、使用者はデータ放送画面を操作することにより種々の情報を放送局に伝送することができる。それにより、双方向のデータ放送サービスが実現される。
【００６３】
（２０）  データ放送画面提示プログラムは、受信状態が不良状態である場合に、表示部に保持されたデータ放送画面の操作を制限する処理をさらにコンピュータに実行させてもよい。
【００６４】
受信状態が不良状態である場合には、提示されるデータ放送画面が更新されないので、使用者によるデータ放送画面の操作に不具合が生じることがある。したがって、受信状態が不良状態である場合に保持されたデータ放送画面の操作を制限することにより、データ放送画面の操作に不具合が生じることを防止することができる。
【発明の効果】
【００６５】
本発明によれば、使用者は、データ放送画面の視聴中に受信状態が不良状態になった場合でも、受信状態が良好状態であったときのデータ放送画面を視聴することができ、受信状態が良好状態に戻りかつ引き続き同じ番組が受信されている場合に、同じ番組のデータ放送画面の続きを視聴することができる。したがって、受信状態が一時的に不良状態になった場合でも、使用者が受けるストレスおよび不快感が軽減される。
【発明を実施するための最良の形態】
【００６６】
（１）第１の実施の形態
（１−１）放送受信装置の構成
図１は本発明の第１の実施の形態に係る放送受信装置の構成を示すブロック図である。
【００６７】
図１において、放送受信装置１００は、デジタル放送を受信するために用いられる。デジタル放送では、放送局からテレビ放送、音声放送およびデータ放送のコンテンツが送信される。
【００６８】
データ放送のコンテンツをデータ放送コンテンツと呼ぶ。データ放送コンテンツは複数のモジュールにより構成される。各モジュールは複数のデータブロックに分割されて伝送される。データ放送コンテンツに基づいて表示される画像をデータ放送画面と呼ぶ。以下、放送受信装置１００の主としてデータ放送コンテンツの提示に関する機能を説明する。
【００６９】
本実施の形態に係る放送受信装置１００は、例えば、車載テレビまたは携帯情報端末等の移動体端末に設けられ、移動により受信信号のレベルが時々刻々と変化する環境において使用することができる。
【００７０】
放送受信装置１００には、液晶ディスプレイパネルまたはプラズマディスプレイパネル等の映像表示装置２００が接続される。それにより、使用者（視聴者）は、デジタル放送の番組を視聴することができる。放送受信装置１００にテレビジョン受像機が接続されてもよい。
【００７１】
放送受信装置１００は、アンテナ１０１、選局器１０２、復調器１０３、誤り訂正回路１０４、復号器１０５、出力回路１０６、処理部１１０、通信装置１２０、リモコンインターフェイス１３０および記憶装置１４０を含む。
【００７２】
処理部１１０は、受信状態検出部１１１、受信状態判定部１１２、情報取得部１１３、情報記憶制御部１１４、情報提示部１１５、番組情報判定部１１６およびユーザ操作部１１７を含む。処理部１１０の各構成部の機能は、ＣＰＵ（中央演算処理装置）等のマイクロコンピュータと処理プログラムとにより実現される。処理プログラムは、後述するデータ放送画面提示プログラムを含む。
【００７３】
アンテナ１０１は、放送局から送信された放送電波を受信する。選局器１０２は、アンテナ１０１により受信された放送電波をデジタル変調された複数の放送信号に変換し、複数の放送信号から使用者により選局されたチャンネルに対応する放送信号を選択する。
【００７４】
復調器１０３は、選局器１０２から出力される放送信号をトランスポートストリームに復調する。誤り訂正回路１０４は、伝送中または変換中に発生するトランスポートストリームのデータ誤りを訂正する。
【００７５】
復号器１０５は、トランスポートストリームを映像信号、音声信号、データ信号および関連情報に復号する。データ信号はデータ放送コンテンツを含む。
【００７６】
ここで、関連情報は、番組配列情報(ＳＩ；Service Information）、番組特定情報（ＰＳＩ；Program Specific Information)等の番組識別情報を含む。番組配列情報および番組特定情報は、ＡＲＩＢ  ＴＲ−Ｂ１４（地上デジタル放送運用規定）により定められ、番組を選局するために用いられる。
【００７７】
出力回路１０６は、復号器１０５から与えられる映像信号および音声信号、または後述する情報提示部１１５から供給されるデータ放送コンテンツを映像表示装置２００に出力する。
【００７８】
映像表示装置２００は、映像信号および音声信号に基づいて映像を表示するとともに音声を出力し、データ放送コンテンツに基づいてデータ放送画面を提示する。
【００７９】
記憶装置１４０は、各種情報および各種データを書換え可能に記憶する記憶媒体であり、例えばＲＡＭ（ランダムアクセスメモリ）、ハードディスク等からなる。記憶装置１４０へのデータ放送コンテンツおよび番組識別情報の書き込み、読み出しおよび消去は、後述する情報記憶制御部１１４により制御される。
【００８０】
リモコンインターフェイス１３０は、使用者の操作によりリモコン１５０から送信される操作信号および各種データをユーザ操作部１１７に与える。ユーザ操作部１１７は、リモコンインターフェイス１３０から与えられる操作信号および各種データを情報提示部１１５および通信装置１２０に与える。通信装置１２０は、例えばインターネット等の通信回線を通して放送局に各種データを伝送する。
【００８１】
受信状態検出部１１１は、誤り訂正回路１０４において訂正されるデータ誤りの発生割合に基づいて放送電波の受信状態を検出する。この場合、受信状態は値で表される。受信状態判定部１１２は、受信状態検出部１１１により検出された受信状態を表す値を一定のしきい値と比較することにより受信状態の良否を判定する。具体的には、受信状態判定部１１２は、受信状態を表す値がしきい値以上の場合に受信状態が良好である（以下、受信良好状態と呼ぶ）と判定し、受信状態を表す値がしきい値よりも低い場合に受信状態が不良である（以下、受信不良状態と呼ぶ）と判定する。受信状態判定部１１２による判定結果は、受信状態メッセージとして情報記憶制御部１１４、情報提示部１１５および番組情報判定部１１６に与えられる。
【００８２】
情報取得部１１３は、復号器１０５により復号されたデータ信号からデータ放送コンテンツの複数のモジュールを順次取得するとともに、復号器１０５により復号された関連情報から現在選局されている番組の番組識別情報を取得する。本実施の形態では、情報取得部１１３は、番組識別情報として番組配列情報を取得する。
【００８３】
情報記憶制御部１１４は、記憶装置１４０へのデータ放送コンテンツおよび番組識別情報の書き込み、記憶装置１４０からのデータ放送コンテンツおよび番組識別情報の読み出し、ならびに記憶装置１４０に記憶されるデータ放送コンテンツおよび番組識別情報の消去を制御する。
【００８４】
すなわち、情報記憶制御部１１４は、情報取得部１１３により取得されるデータ放送コンテンツの複数のモジュールを順次記憶装置１４０に書き込むとともに、記憶装置１４０からデータ放送コンテンツの複数のモジュールを順次取得して情報提示部１１５に与える。使用者の操作により受信されるチャンネルが切り換えられた場合には、情報記憶制御部１１４は、再起動処理を行う。再起動処理では、情報取得部１１３により取得される新たな番組のデータ放送コンテンツの最初のモジュールから最後のモジュールまでを記憶装置１４０に順次書き込むとともに、記憶装置１４０からデータ放送コンテンツの最初のモジュールから最後のモジュールまでを順次読み出して情報提示部１１５に与える。
【００８５】
また、情報記憶制御部１１４は、受信状態判定部１１２による判定結果が受信良好状態を示している期間に番組識別情報を記憶装置１４０に常時書き込む。判定結果が受信不良状態を示しているときには、情報記憶制御部１１４は情報取得部１１３により取得された番組識別情報を記憶装置１４０に書き込まない。
【００８６】
番組情報判定部１１６は、受信状態判定部１１２による判定結果が受信良好状態から受信不良状態へ変化した場合に、情報記憶制御部１１４により記憶装置１４０から読み出された番組識別情報と情報取得部１１３により取得された番組識別情報とを比較し、比較結果に基づいて両方の番組識別情報により示される番組が同一であるか否かを判定する。番組情報判定部１１６による判定結果は、番組情報メッセージとして情報提示部１１５に与えられる。
【００８７】
情報提示部１１５は、番組情報判定部１１６による判定結果およびリモコンユ１５０の操作に基づいて情報取得部１１３により取得されるデータ放送コンテンツまたは情報記憶制御部１１４により記憶装置１４０から読み出されるデータ放送コンテンツを出力回路１０６に供給する。それにより、映像表示装置２００にデータ放送コンテンツに基づくデータ放送画面が提示される。
【００８８】
（１−２）データ放送画面の提示処理
次に、第１の実施の形態に係る放送受信装置１００におけるデータ放送画面の提示処理の手順を図２を用いて説明する。図２は本発明の第１の実施の形態に係る放送受信装置におけるデータ放送画面の提示処理の手順を示すフローチャートである。データ放送画面の提示処理は、処理部１１０のデータ放送画面提示プログラムにより実現される。
【００８９】
受信状態検出部１１１は、誤り訂正回路１０４において訂正されるデータ誤りの発生割合に基づいて放送電波の受信状態を常時検出している。受信状態が良好なときには、情報記憶制御部１１４は、情報取得部１１３により取得されるデータ放送コンテンツのモジュールを記憶装置１４０に順次書き込む。また、情報提示部１１５は、情報記憶制御部１１４により記憶装置１４０から読み出されるデータ放送コンテンツのモジュールを出力回路１０６に順次供給する。それにより、映像表示装置２００において選局中の番組のデータ放送コンテンツに基づくデータ放送画面が順次提示される。
【００９０】
この場合、使用者は、リモコン１５０を用いて提示されているデータ放送画面を操作することができる。例えば、使用者は、提示されているデータ放送画面にデータを入力することができる。リモコン１５０から入力されたデータは、リモコンインターフェイス１３０を通してユーザ操作部１１７に与えられる。ユーザ操作部１１７に与えられたデータは、通信装置１２０によりインターネット等の通信回線を通して放送局に伝送される。
【００９１】
受信状態判定部１１２は、受信状態検出部１１１により検出された受信状態を表す値を一定のしきい値と比較することにより受信状態が受信良好状態であるか否かを判定する（ステップＳ１）。
【００９２】
受信状態判定部１１２による判定結果が受信不良状態である場合には、情報記憶制御部１１４は、情報取得部１１３により取得されるデータ放送コンテンツのモジュールを記憶装置１４０に書き込まず、情報提示部１１５は、出力回路１０６に供給しているデータ放送コンテンツのモジュールを保持することによりデータ放送画面の提示を保持する（ステップＳ２）。それにより、受信不良状態の前のデータ放送画面の提示状態が保持される。この状態では、記憶装置１４０には、受信不良状態の前に取得されたデータ放送コンテンツのモジュールが記憶されている。その後、ステップＳ１に戻る。
【００９３】
ステップＳ１において受信状態判定部１１２による判定結果が受信良好状態である場合には、情報記憶制御部１１４は、情報取得部１１３により取得された番組識別情報およびデータ放送コンテンツのモジュールを記憶装置１４０に書き込む（ステップＳ３）。そして、情報記憶制御部１１４は、受信状態判定部１１２による前回の判定結果が受信不良状態であるか否かを判別する（ステップＳ４）。
【００９４】
前回の判定結果が受信良好状態である場合には、情報提示部１１５は、出力回路１０６へのデータ放送コンテンツのモジュールの供給を継続することにより、データ放送画面の提示を継続する（ステップＳ５）。それにより、受信良好状態の間、受信されるデータ放送コンテンツのモジュールに基づいてデータ放送画面が順次更新される。
【００９５】
この場合、使用者は、リモコン１５０を用いて提示されているデータ放送画面を操作することができる。例えば、使用者は、提示されているデータ放送画面にデータを入力することができる。その後、ステップＳ１に戻る。
【００９６】
ステップＳ４において前回の判定結果が受信不良状態である場合には、情報記憶制御部１１４は、記憶装置１４０から番組識別情報を読み出し（ステップＳ６）、情報取得部１１３から現在受信中の番組識別情報を取得する（ステップＳ７）。そして、情報記憶制御部１１４は、記憶装置１４０から読み出した番組識別情報と情報取得部１１３から取得した番組識別情報とを比較することにより、現在受信中の番組と受信不良状態の前に受信していた番組とが同一であるか否かを判別する（ステップＳ８）。
【００９７】
現在受信中の番組と受信不良状態の前に受信していた番組とが同一である場合には、情報取得部１１３は、受信不良状態の前に既に取得したデータ放送コンテンツのモジュールに続くモジュールを順次取得する。情報記憶制御部１１４は、情報取得部１１３により取得されるモジュールを記憶装置１４０に順次書き込む。また、情報記憶制御部１１４は、記憶装置１４０からのデータ放送コンテンツの読み出しを再開し、受信不良状態の前に最後に読み出したモジュールに続くモジュールを情報提示部１１５に順次与える。情報提示部１１５は、保持していたデータ放送コンテンツのモジュールに続くモジュールを出力回路１０６に順次供給することによりデータ放送画面の提示を再開する（ステップＳ９）。それにより、受信不良状態の前に提示されていた番組のデータ放送画面に続けて同じ番組のデータ放送画面が順次提示される。
【００９８】
この場合、使用者は、受信不良状態の前におけるデータ放送画面の操作に続けてデータ放送画面を操作することができる。例えば、使用者は、受信不良状態の前にデータ放送画面に入力したデータに続けてデータを入力することができる。その後、ステップＳ１に戻り、ステップＳ１〜Ｓ１０の処理が繰り返される。
【００９９】
ステップＳ８において現在受信中の番組と受信不良状態の前に受信していた番組とが異なる場合には、情報記憶制御部１１４は、再起動処理を行う（ステップＳ１０）。この場合、情報記憶制御部１１４は、新たに選局された番組のデータ放送コンテンツのモジュールを最初から順次記憶装置１４０に書き込む。また、情報記憶制御部１１４は、記憶装置１４０からデータ放送コンテンツのモジュールを最初から順次読み出す。情報提示部１１５は、保持していたデータ放送コンテンツの供給を終了し、新たなに選局された番組のデータ放送コンテンツのモジュールを最初から出力回路１０６に順次供給する。それにより、保持されていたデータ放送画面の提示が終了し、現在受信中の番組のデータ放送画面が最初から順次提示される。
【０１００】
この場合、使用者は、リモコン１５０を用いて新たに提示されたデータ放送画面を操作することができる。例えば、使用者は、新たに提示されたデータ放送画面にデータを入力することができる。その後、ステップＳ１に戻り、ステップＳ１〜Ｓ１０の処理が繰り返される。
【０１０１】
（１−３）第１の実施の形態の効果
本実施の形態では、使用者は、データ放送画面の視聴中に受信状態が不良状態になった場合でも、受信状態が良好状態であったときのデータ放送画面を視聴することができ、受信状態が良好状態に戻りかつ引き続き同じ番組が受信されている場合に、同じ番組のデータ放送画面の続きを視聴することができる。したがって、受信状態が一時的に不良状態になった場合でも、使用者はストレスをほとんど感じることなくデータ放送を視聴することができる。
【０１０２】
また、受信不良状態の前後で受信されている番組が異なる場合には、受信状態が不良状態である間に保持されていたデータ放送画面の提示が終了されるとともに、新たに選局された番組のデータ放送コンテンツのモジュールが記憶装置１４０に順次書き込まれる。それにより、使用者は、受信状態が不良状態から良好状態に戻ったときに短時間で新たな番組のデータ放送画面を視聴することができる。
【０１０３】
（２）第２の実施の形態
本発明の第２の実施の形態に係る放送受信装置は、第１の実施の形態に係る放送受信装置１００と同様の構成を有し、データ放送画面の提示処理の手順が異なる。
【０１０４】
図３は第２の実施の形態に係る放送受信装置におけるデータ放送画面の提示処理の手順を示すフローチャートである。また、図４はユーザ操作画面の一例を示す図である。
【０１０５】
ステップＳ１〜Ｓ７の処理は図２に示したステップＳ１〜Ｓ７の処理と同様である。
【０１０６】
ステップＳ８において、情報記憶制御部１１４は、記憶装置１４０から読み出した番組識別情報と情報取得部１１３から取得した番組識別情報とを比較することにより、現在受信中の番組と受信不良状態の前に受信していた番組とが同一であるか否かを判別する。
【０１０７】
現在受信中の番組と受信不良状態の前に受信していた番組とが同一である場合には、情報提示部１１５はユーザ操作画面表示用情報を出力回路１０６に供給する（ステップＳ８１）。それにより、映像表示装置２００にユーザインターフェイスとして図４に示すユーザ操作画面が表示される。
【０１０８】
図４において、映像表示装置２００にユーザ操作画面２１０が表示されている。ユーザ操作画面２１０は、データ放送画面の提示の継続および終了のいずれかの選択を要求する選択要求画面２１１、データ放送画面の提示の継続を選択するための継続選択ボタン２１２およびデータ放送画面の提示の終了を選択するための終了選択ボタン２１３が表示される。
【０１０９】
使用者は、リモコン１５０を用いて継続選択ボタン２１２または終了選択ボタン２１３をハイライト状態にすることによりデータ放送画面の提示の継続または終了を選択することができる。
【０１１０】
図４の例では、継続選択ボタン２１２に「いいえ」と表示され、終了選択ボタン２１３に「はい」と表示されているが、選択要求画面２１１の質問内容を反対の意味にすることにより継続選択ボタン２１２に「はい」と表示し、終了選択ボタン２１３に「いいえ」と表示してもよい。
【０１１１】
ユーザ操作部１１７は、使用者によりリモコン１５０を用いてデータ放送画面の提示の継続が選択されたか否かを判別する（ステップＳ８２）。
【０１１２】
データ放送画面の提示の継続が選択された場合には、情報記憶制御部１１４は、記憶装置１４０からデータ放送コンテンツのモジュールの読み出しを再開し、情報提示部１１５は、保持していたデータ放送コンテンツのモジュールに続くモジュールの供給を再開することにより、データ放送画面の提示を再開する（ステップＳ９）。それにより、受信不良状態の前に提示されていた番組のデータ放送画面に続けて同じ番組のデータ放送画面が順次提示される。
【０１１３】
この場合、使用者は、受信不良状態の前におけるデータ放送画面の操作に続けてデータ放送画面を操作することができる。例えば、使用者は、受信不良状態の前にデータ放送画面に入力したデータに続けてデータを入力することができる。
【０１１４】
データ放送画面の提示の終了が選択された場合には、情報記憶制御部１１４は、再起動処理を行う（ステップＳ１０）。この場合、情報記憶制御部１１４は、新たに選局された番組のデータ放送コンテンツのモジュールを最初から順次記憶装置１４０に書き込む。また、情報記憶制御部１１４は、記憶装置１４０からデータ放送コンテンツのモジュールを最初から順次読み出す。情報提示部１１５は、保持していたデータ放送コンテンツの供給を終了し、新たなに選局された番組のデータ放送コンテンツのモジュールを最初から出力回路１０６に順次供給する。それにより、保持されていたデータ放送画面の提示が終了し、現在受信中の番組のデータ放送画面が最初から順次提示される。
【０１１５】
この場合、使用者は、データ放送画面を最初から操作することができる。例えば、使用者は、データ放送画面に最初から再度データを入力することができる。
【０１１６】
なお、ステップＳ７において現在受信中の番組と受信不良状態の前に受信していた番組とが異なる場合には、情報記憶制御部１１４は、ステップＳ１０に進み、再起動処理を行う。
【０１１７】
本実施の形態によれば、受信不良状態の前後で受信されている番組が同じ場合には、使用者は、受信状態が不良状態から良好状態に戻ったときにデータ放送画面の提示を再開するかまたは保持されているデータ放送画面を終了させるかを選択することができる。それにより、使用者の希望に従ったデータ放送画面の提示が実現される。
【０１１８】
（３）第３の実施の形態
図５は本発明の第３の実施の形態に係る放送受信装置の構成を示すブロック図である。
【０１１９】
図５の放送受信装置１００が図１の放送受信装置１００と異なるのは、処理部１１０がデータ放送操作制限部１１８をさらに含む点である。データ放送操作制限部１１８は、受信不良状態の間、使用者によるデータ放送画面の操作を制限する。
【０１２０】
図６は本発明の第３の実施の形態に係る放送受信装置におけるデータ放送画面の提示処理の手順を示すフローチャートである。
【０１２１】
ステップＳ１〜Ｓ１０の処理は図２に示したステップＳ１〜Ｓ１０の処理と同様である。第３の実施の形態における放送受信装置１００では、ステップＳ２において情報提示部１１５が出力回路１０６に供給しているデータ放送コンテンツのモジュールを保持した後、データ放送操作制限部１１８が使用者によるデータ放送画面の操作を制限する（ステップＳ２１）。
【０１２２】
受信不良状態では、記憶装置１４０に記憶されるデータ放送コンテンツのモジュールが更新されないため、使用者によるデータ放送画面の操作に不具合が生じることがある。そこで、データ放送操作制限部１１８は、リモコン１５０を用いた操作が無効になるようにユーザ操作部１１７を制御する。例えば、データ放送操作制限部１１８は、リモコン１５０を用いて入力されたデータが通信装置１２０により放送局に伝送されないようにユーザ操作部１１７を制御する。この場合、使用者によるデータ放送画面の操作が制限されていることが映像表示装置２００に文字または画像により表示されるとともに、音声により出力される。その後、ステップＳ１に戻り、ステップＳ１〜Ｓ１０の処理が繰り返される。
【０１２３】
本実施の形態によれば、受信状態が不良状態である場合に保持されたデータ放送画面の操作を制限することにより、データ放送画面の操作に不具合が生じることを防止することができる。
【０１２４】
（４）第４の実施の形態
第４の実施の形態に係る放送受信装置は、第３の実施の形態に係る放送受信装置１００と同様の構成を有し、データ放送画面の提示処理の手順が異なる。
【０１２５】
図７は本発明の第４の実施の形態に係る放送受信装置におけるデータ放送画面の提示処理の手順を示すフローチャートである。
【０１２６】
ステップＳ１〜Ｓ１０の処理は図２に示したステップＳ１〜Ｓ１０の処理と同様である。第４の実施の形態における放送受信装置１００では、ステップＳ２において情報提示部１１５が出力回路１０６に供給しているデータ放送コンテンツのモジュールを保持した後、データ放送操作制限部１１８は、記憶装置１４０に記憶されているデータ放送コンテンツのモジュールに基づいて使用者によるデータ放送画面の操作が可能が否かを判別する（ステップＳ２２）。
【０１２７】
データ放送画面の操作が可能でない場合には、データ放送操作制限部１１８は使用者によるデータ放送画面の操作を制限する（ステップＳ２３）。この場合、データ放送操作制限部１１８は、リモコン１５０を用いた操作が無効になるようにユーザ操作部１１７を制御する。例えば、データ放送操作制限部１１８は、リモコン１５０を用いて入力されたデータが通信装置１２０により放送局に伝送されないようにユーザ操作部１１７を制御する。この場合、使用者によるデータ放送画面の操作が制限されていることが映像表示装置２００に文字または画像により表示されるとともに、音声により出力される。その後、ステップＳ１に戻り、ステップＳ１〜Ｓ１０の処理が繰り返される。
【０１２８】
データ放送画面の操作が可能である場合には、使用者によるデータ放送画面の操作に不具合が生じないので、データ放送操作制限部１１８は使用者によるデータ放送画面の操作を許容する（ステップＳ２４）。この場合、例えば、使用者は、提示されているデータ放送画面にデータを入力することができる。その後、ステップＳ１に戻り、ステップＳ１〜Ｓ１０の処理が繰り返される。
【０１２９】
例えば、使用者によるデータ放送画面の操作において記憶装置１４０に記憶されていないモジュールへの参照が発生した場合には、ステップＳ２２においてデータ放送画面の操作が可能でないと判別される。それにより、データ放送画面の操作が制限される。
【０１３０】
本実施の形態によれば、受信不良状態の間に、記憶装置１４０に記憶されたデータ放送コンテンツのモジュールに基づいてデータ放送画面の操作が可能な場合には、保持されたデータ放送画面の操作が許容される。それにより、使用者は、受信状態が不良状態である場合でも保持されたデータ放送画面の連続した操作を行うことができる。
【０１３１】
一方、受信不良状態の間に、記憶装置１４０に記憶されたデータ放送コンテンツのモジュールに基づいてデータ放送画面の操作が不可能な場合には、保持されたデータ放送画面の操作が禁止される。それにより、データ放送画面の操作に不具合が生じることを防止することができる。
【０１３２】
（５）他の実施の形態
上記実施の形態では、番組識別情報として番組配列情報を用いているが、番組配列情報に限らず他の番組識別情報を用いてもよく、例えば番組特定情報を用いてもよい。
【０１３３】
上記第２の実施の形態では、映像表示装置２００のユーザ操作画面２１０における継続選択ボタン２１２および終了選択ボタン２１３によりデータ放送画面の提示の継続および終了が選択されるが、これに限定されず、リモコン１５０にデータ放送画面の提示の継続および終了を選択するための専用のボタンを設けてもよい。また、リモコン１５０に設けられた汎用的なボタンによりデータ放送画面の提示の継続および終了を選択してもよい。
【０１３４】
上記第３および第４の実施の形態において、データ放送画面の操作が制限されている状態を使用者に知らせるためにリモコン１５０に表示部または音声出力部を設けてもよい。
【０１３５】
処理部１１０の各機能ブロックは、図１および図５の例に限定されない。例えば、図１または図５の処理部１１０の一の機能ブロックが他の機能ブロックの機能を有してもよい。
【０１３６】
上記実施の形態では、処理部１１０がマイクロコンピュータおよび処理プログラムにより実現されているが、処理部１１０の各構成部の一部または全てが電子回路等のハードウエアにより構成されてもよい。
【０１３７】
（６）請求項の各構成要素と実施の形態の各要素との対応
以下、請求項の各構成要素と実施の形態の各要素との対応の例について説明するが、本発明は下記の例に限定されない。
【０１３８】
上記実施の形態では、選局器１０２および復号器１０３が受信部の例であり、情報取得部１１３が情報取得部の例であり、記憶装置１４０が記憶部の例であり、情報提示部１１５が情報提示部の例である。
【０１３９】
また、リモコン１５０およびユーザ操作部１１７が選択部の例であり、番組情報判定部１１６が番組判定部の例であり、受信状態検出部１１１および受信状態判定部１１２が状態判定部の例である。
【０１４０】
さらに、リモコン１５０およびユーザ操作部１１７が操作部の例であり、通信装置１２０が通信部の例であり、データ放送操作制限部１１８が操作制限部の例であり、映像表示装置２００が通知部の例である。
【０１４１】
請求項の各構成要素として、請求項に記載されている構成または機能を有する他の種々の要素を用いることもできる。
【産業上の利用可能性】
【０１４２】
本発明は、受信状態が一時的に不良状態になる可能性のある環境で使用される放送受信装置等に利用することができる。
【図面の簡単な説明】
【０１４３】
【図１】図１は本発明の第１の実施の形態に係る放送受信装置の構成を示すブロック図
【図２】図２は本発明の第１の実施の形態に係る放送受信装置におけるデータ放送画面の提示処理の手順を示すフローチャート
【図３】図３は本発明の第２の実施の形態に係る放送受信装置におけるデータ放送画面の提示処理の手順を示すフローチャート
【図４】図４はユーザ操作画面の一例を示す図
【図５】図６は本発明の第３の実施の形態に係る放送受信装置の構成を示すブロック図
【図６】図６は本発明の第３の実施の形態に係る放送受信装置におけるデータ放送画面の提示処理の手順を示すフローチャート
【図７】図７は本発明の第４の実施の形態に係る放送受信装置におけるデータ放送画面の提示処理の手順を示すフローチャート
【図８】図８はデータカルーセル伝送方式を説明するための図
【図１】
0004745350.tif 000002
【図２】
0004745350.tif 000003
【図３】
0004745350.tif 000004
【図４】
0004745350.tif 000005
【図５】
0004745350.tif 000006
【図６】
0004745350.tif 000007
【図７】
0004745350.tif 000008
【図８】
0004745350.tif 000009